(57)【要約】【課題】  移動通信用端末である携帯情報通信装置に大画面・高解像度の外部ディスプレイ手段を備えた外部装置を接続した情報通信システムにおいて、該外部ディスプレイ手段を用いてＰＣ向けＷｅｂページのようなファイルサイズの大きいマークアップ文書ファイル及びそのリンクファイルで構成されるＷｅｂページを閲覧することを、移動通信システムの通信の安定性に悪影響を与えることなく実現する。【解決手段】  携帯情報通信装置に備えられ、ＩＳＰシステムと接続したモバイルネットワークとの間で無線信号のやり取りを行う無線通信手段に加えて、固定アクセスネットワークを経由して、前記ＩＳＰシステムと同じか又は別のＩＳＰシステムとの間で情報のやり取りを行うための第二通信手段を備える。【選択図】図５
2007195160.tif 000002
【特許請求の範囲】
【請求項１】
（１）ＩＳＰ（Internet Service Provider）システムと接続したモバイルアクセスネットワークから送信される無線信号を受信してデジタル信号に変換の上、後記データ処理手段に送信するとともに、後記データ処理手段から受信したデジタル信号を無線信号に変換して前記モバイルアクセスネットワークへ送信する無線通信手段Ａと；
後記データ処理手段を動作させるプログラムと後記データ処理手段で処理可能なデータとを格納する記憶手段と；
前記記憶手段に格納されたプログラムに基づき、前記無線通信手段Ａから受信したデジタル信号及び／又は前記記憶手段から読み出したデータに必要な処理を行って、デジタル表示信号及びその他のデジタル信号を生成して送信するデータ処理手段と；
画面を構成する各々の画素が駆動されることにより画像を表示するディスプレイパネルと、前記データ処理手段から受信したデジタル表示信号に基づき前記ディスプレイパネルの各々の画素を駆動するディスプレイ制御手段とから構成されるディスプレイ手段と；
後記外部ディスプレイ手段を伴う外部装置に対して、前記データ処理手段から受信したデジタル表示信号に基づき、外部表示信号を送信するインターフェース手段Ａと；
を備えるとともに、
前記無線通信手段Ａと前記データ処理手段とが相俟って、モバイルアクセスネットワークを経由して、該モバイルアクセスネットワークと接続したＩＳＰシステム（以下、モバイル対応ＩＳＰシステムと略称する）との間で情報のやり取りを行う機能を実現し、
前記データ処理手段は、前記モバイル対応ＩＳＰシステムから受信した情報を処理することによってリアルタイムでデジタル表示信号を生成する機能、及び／又は、該情報をデータファイルとして前記記憶手段に一旦格納し、その後読み出した上で処理することによってデジタル表示信号を生成する機能を有する携帯情報通信装置と、
（２）前記携帯情報通信装置（１）のインターフェース手段Ａと接続され、該インターフェース手段Ａから外部表示信号を受信するインターフェース手段Ｂと；
該インターフェース手段Ｂを経由して受信した外部表示信号に基づき画像を表示する外部ディスプレイ手段と；
を備えた外部装置と、
から構成される情報通信システムであって、
前記携帯情報通信装置（１）及び／又は前記外部装置（２）は、固定アクセスネットワークを経由して、前記モバイル対応ＩＳＰシステムと同じか又は別のＩＳＰシステムとの間で情報のやり取りを行うための第二通信手段を備えることを特徴とする情報通信システム。
【請求項２】
前記第二通信手段を用いた通信が可能であるかどうかを判定する通信可否判定手段と；
前記無線通信手段Ａ又は前記第二通信手段のいずれかを選択して使用する通信切替手段と；
を備え、
該通信切替手段は、前記通信可否判定手段が通信可能であると判定した場合に、データ処理手段がデジタル信号の送受信する先として、前記第二通信手段を優先的に選択する機能を有することを特徴とする、請求項１に記載の情報通信システム。
【請求項３】
前記第二通信手段は、ＩＳＰシステムに接続する固定アクセスネットワークのユーザー側回線終端装置から、又は、該ユーザー側回線終端装置と前記情報通信システムとを接続する中継装置から無線信号又は有線信号を受信し、必要な処理を行った上で、デジタル信号として前記データ処理手段に送信するとともに、前記データ処理手段からデジタル信号を受信して必要な処理を行った上で、無線信号又は有線信号として前記ユーザー側回線終端装置又は前記中継装置に送信する機能を有することを特徴とする、請求項１又は２に記載の情報通信システム。
【請求項４】
前記無線通信手段Ａ又は前記第二通信手段のいずれかを選択して使用する通信切替手段を備え、
無線通信手段Ａ又は第二通信手段のいずれの通信手段を使用しているかを判別可能な情報（以下、通信手段情報と略記する）を、
前記通信切替手段が前記無線通信手段Ａを選択した場合には、前記データ処理手段と前記無線通信手段Ａとが相俟って、前記モバイルアクセスネットワークを経由して、該モバイルアクセスネットワークに接続したモバイル対応ＩＳＰシステムへ、
前記通信切替手段前記無線通信手段Ａを選択した場合には、前記データ処理手段と前記第二通信手段とが相俟って、前記固定アクセスネットワークを経由して、該固定アクセスネットワークに接続したＩＳＰシステムへ、
それぞれ送信する機能を有することを特徴とする、請求項３に記載の情報通信システム。
【請求項５】
請求項３又は４の情報通信システムを構成する携帯情報通信装置（１）であって、
前記第二通信手段として無線通信手段Ｂを備え、
該無線通信手段Ｂは、無線ＬＡＮアクセスポイント装置との間で無線信号の送受信を行う機能を有することを特徴とする携帯情報通信装置。
【請求項６】
該携帯情報通信装置と前記外部装置とが接続していることを検知する接続検知手段と；
無線通信手段Ｂを用いた通信が可能であるかどうかを判定する通信可否判断手段と；
を備え、
前記通信可否判断手段は、接続可能な無線ＬＡＮアクセスポイント装置を探索する機能を有した上で、該探索機能は、前記接続検知手段が接続していることを検知した場合に作動するように設定できることを特徴とする、請求項５に記載の携帯情報通信装置。
【請求項７】
前記外部装置（２）は、第二通信手段としてインターフェース手段Ｃを備え、
該インターフェース手段Ｃは、前記ユーザー側回線終端装置又は中継装置との間で無線信号又は有線信号の送受信を行う機能を有するとともに、
前記インターフェース手段Ａと前記インターフェース手段Ｂとが相俟って、前記ユーザー側回線終端装置又は中継装置から受信した無線信号又は有線信号に必要な処理を行った上で、デジタル信号として前記データ処理手段に送信するとともに、前記データ処理手段から受信したデジタル信号に必要な処理を行った上で、無線信号又は有線信号として前記ユーザー側回線終端装置又は前記中継装置に送信する機能を実現することを特徴とする、請求項３又は４に記載の情報通信システム。
【請求項８】
請求項７の情報通信システムを構成する携帯情報通信装置（１）であって、
前記インターフェース手段Ａは、前記外部装置（２）のインターフェース手段Ｂ経由で受信した信号に必要な処理を行った上で、デジタル信号として前記データ処理手段に送信するとともに、前記データ処理手段から受信したデジタル信号に必要な処理を行った上で、前記外部装置（２）の前記インターフェース手段に送信する機能を有することを特徴とする携帯情報通信装置。
【請求項９】
請求項７の情報通信システムを構成する外部装置（２）であって、
前記ユーザー側回線終端装置又は中継装置との間で無線信号又は有線信号の送受信を行う機能を有するインターフェース手段Ｃを備え、
前記インターフェース手段Ｂは、前記インターフェース手段Ｃ経由で受信した無線信号又は有線信号に必要な処理を行った上で、インターフェース手段Ａに送信するとともに、
インターフェース手段Ｂとインターフェース手段Ｃとが相俟って、インターフェース手段Ａ経由で受信した信号に必要な処理を行った上で、無線信号又は有線信号として前記ユーザー側回線終端装置又は前記中継装置に送信する機能を実現することを特徴とする外部装置。
【請求項１０】
前記インターフェース手段Ｃは、イーサネット（登録商標）のＮＩＣ（Network Interface Card）の機能を有することを特徴とする、請求項９に記載の外部装置。
【請求項１１】
前記インターフェース手段Ｃは、無線ＬＡＮアクセスポイント装置との間で無線信号の送受信を行う機能を有することを特徴とする、請求項９に記載の外部装置。
【請求項１２】
前記携帯情報通信装置（１）は個体識別子及び／又はモバイルアクセスネットワークにおける契約者回線番号が付与された上で、
前記データ処理手段と前記無線通信手段Ａとが相俟って、前記個体識別子、契約者回線番号又はそれらを特定可能な情報（以下、端末識別情報と略記とする）をデータの送信要求及びその他の情報（以下、送信要求等と略記する）とともに前記無線通信手段Ａからモバイルアクセスネットワークへ送信する機能を実現するとともに、
前記データ処理手段と前記第二通信手段とが相俟って、前記端末識別情報を送信要求等とともに前記第二通信手段から固定アクセスネットワークに送信する機能を実現することを特徴とする、請求項１乃至４又は７のいずれか一項に記載の情報通信システム。
【請求項１３】
Ｗｅｂクライアントから受信した送信要求等を、他のＩＳＰシステムを経由せずに、モバイルアクセスネットワーク及び固定アクセスネットワークの双方のアクセスネットワークから直接受信可能なＩＳＰシステムであって、
請求項１２に記載の情報通信システムが前記端末識別情報を前記モバイルアクセスネットワーク経由又は前記固定アクセスネットワーク経由のいずれの経由で送信した場合でも、前記端末識別情報に基づいて前記情報通信システムの認証を行った上で、アクセスを制御する機能を有することを特徴とするＩＳＰシステム。
【請求項１４】
Ｗｅｂクライアントから受信した送信要求等を、他のＩＳＰシステムを経由せずに、モバイルアクセスネットワーク及び固定アクセスネットワークの双方のアクセスネットワークから直接受信可能なＩＳＰシステムであって、
Ｗｅｂサーバに対し、前記送信要求等に加えて、該送信要求等がモバイルアクセスネットワーク経由又は固定アクセスネットワーク経由のいずれの経路で送信されたかが判別可能な情報（以下、経路情報と略記する）を送信する機能を有するＩＳＰシステム。
【請求項１５】
Ｗｅｂクライアントから受信した送信要求等に基づき、該Ｗｅｂクライアントにデータを送信するＷｅｂサーバであって、
請求項４に記載の情報通信システムから送信される通信手段情報、及び／又は、請求項１４に記載のＩＳＰシステムから送信される経路情報を受信し、前記通信手段情報及び／又は該経路情報に基づいて、前記送信要求等がモバイルアクセスネットワーク経由又は固定アクセスネットワーク経由のいずれの経路で送信されたかを判別する送信経路判別手段と；
該送信経路判別手段が判別した結果に基づいて、前記情報通信システムに送信するデータを切り替えるための送信データ切替手段と；
を備えることを特徴とするＷｅｂサーバ。
【請求項１６】
記述内容は略共通であるがレイアウト形式は異なる複数のマークアップ文書ファイルを格納するファイル格納手段を備え、
前記送信データ切替手段は、前記送信経路判別手段が送信要求等が固定アクセスネットワーク経由で送信されたと判別した場合には、前記ファイル格納手段に格納された複数のマークアップ文書ファイルのうち、改行幅がより広い固定幅レイアウトのマークアップ文書ファイルを送信し、前記送信経路判別手段が送信要求等がモバイルアクセスネットワーク経由で送信されたと判別した場合には、前記ファイル格納手段に格納された複数のマークアップ文書ファイルのうち、改行幅がより狭い固定幅レイアウトのマークアップ文書ファイル又はリキッドレイアウトのマークアップ文書ファイルを送信する機能を有することを特徴とする、請求項１５に記載のＷｅｂサーバ。
【請求項１７】
表示対象は略共通であるが本来解像度は異なる複数の画像データファイルを格納するファイル格納手段を備え、
前記送信データ切替手段は、前記送信経路判別手段が送信要求等が固定アクセスネットワーク経由で送信されたと判別した場合には、前記ファイル格納手段に格納された複数の画像データファイルのうち、本来解像度がより高い画像データファイルを送信し、前記送信経路判別手段が送信要求等がモバイルアクセスネットワーク経由で送信されたと判別した場合には、前記ファイル格納手段に格納された複数の画像データファイルのうち、本来解像度がより低い画像データファイルを送信する機能を有することを特徴とする、請求項１５又は１６に記載のＷｅｂサーバ。
【請求項１８】
Ｗｅｂクライアントから送信されるデータに基づいて必要な処理を行い、該Ｗｅｂクライアントに送信すべきデータを出力するアプリケーション・ソフトウェアであって、複数のモードで動作可能なアプリケーション・ソフトウェアを実行するアプリケーション実行手段を備え、
前記送信データ切替手段は、前記送信経路判別手段が判別した結果に基づき、アプリケーション実行手段で実行されるアプリケーション・ソフトウェアを切り替える機能を有することを特徴とする、請求項１５に記載のＷｅｂサーバ。
【請求項１９】
Ｗｅｂクライアントから送信されるデータに基づいて必要な処理を行い、該Ｗｅｂクライアントに送信すべきデータを出力するアプリケーション・ソフトウェアであって、複数のモードで動作可能なアプリケーション・ソフトウェアを実行するアプリケーション実行手段を備え、
前記送信データ切替手段は、該送信経路判別手段が判別した結果に基づいて、アプリケーション実行手段で実行されるアプリケーション・ソフトウェアのモードを切り替える機能を有することを特徴とする、請求項１５に記載のＷｅｂサーバ。
【請求項２０】
前記アプリケーション実行手段が、Ｗｅｂクライアントから送信されるデータに基づいてマークアップ文書ファイルを生成する機能を有し、
前記送信データ切替手段と前記アプリケーション実行手段とが相俟って、
前記送信経路判別手段が送信要求等が固定アクセスネットワーク経由で送信されたと判別した場合には、改行幅がより広い固定幅レイアウトのマークアップ文書ファイルを生成して送信し、前記送信経路判別手段が送信要求等がモバイルアクセスネットワーク経由で送信されたと判別した場合には、改行幅がより狭い固定幅レイアウトのマークアップ文書ファイル又はリキッドレイアウトのマークアップ文書ファイルを生成して送信する機能を有することを特徴とする、請求項１８又は１９に記載のＷｅｂサーバ。
【発明の詳細な説明】
【技術分野】
【０００１】
本発明は、携帯電話機などの携帯情報通信装置、該情報通信装置に接続する外部装置、該携帯情報通信装置及び該外部装置で構成される情報通信システム、該情報通信システムと情報をやり取りするＩＳＰシステム、該情報通信システムと該ＩＳＰシステムを介して情報をやり取りするＷｅｂサーバに関する。
【背景技術】
【０００２】
最近の電子・情報技術及び通信技術の進歩により、移動通信システム、及び、移動通信用端末である携帯電話機等の携帯情報通信装置のデータ通信・処理機能は高度化し、電子メールの送受信機能はもちろん、ブラウザ機能を標準的に有するようになってきている。このブラウザ機能においては、ＷｅｂサーバからＨＴＭＬ（Hyper Text Markup Language）、ＸＭＬ（eXtensible Markup Language）又はそれらをベースとするマークアップ言語で記述された文書ファイル（以下、マークアップ文書ファイルと略記する）及びそのリンクファイルを取得し、適切にレイアウトした上で、通常は液晶ディスプレイである付属ディスプレイに文字や画像を表示することによってＷｅｂページを閲覧することができる。
【０００３】
しかしながら、携帯情報通信装置においては、その携帯性が重視されるため大きいサイズのディスプレイを付属させることができない。このため、携帯電話機の場合、付属ディスプレイの画面サイズは最大でも2.5インチ程度であり、また、画面解像度（水平画素数×垂直画素数）は最大でもＱＶＧＡ（Quarter Video Graphics Array）サイズ（携帯電話機においては、通常、縦長画面であるため、水平画素数×垂直画素数＝240×320画素）程度となっている。
【０００４】
このような事情から、携帯情報通信装置でＷｅｂページを閲覧する際には、以下のような制約がある。
すなわち、通常、ＰＣ（Personal Computer）で閲覧されることを想定して作成されるＷｅｂページ（以下、ＰＣ向けＷｅｂページと略記する）は、ＨＴＭＬで記述された文書ファイル（以下、ＨＴＭＬファイルと略記する）及びそのリンクファイルで構成される。ところが、多くの携帯電話機では、付属ディスプレイの画面サイズ・画面解像度が小さいことを理由の一つとして、フルスペックのＨＴＭＬで記述されたＷｅｂページを適切に閲覧することはできず、閲覧できるのはＰＣ向けＷｅｂサイトとは別個に構築されたいわゆる「ケータイ向けサイト」のＷｅｂページであって、ＣＨＴＭＬ（Compact ＨＴＭＬ）、ＨＤＭＬ（Handheld Device Markup Language）又はＷＭＬ（Wireless Markup Language）等の携帯情報通信装置向けに特化したマークアップ言語で記述されたＷｅｂページだけとなっている。このため、特に解像度の高い画像ファイルにリンクしたＨＴＭＬファイルで記述されたＷｅｂページは、ほとんどの場合付属ディスプレイに正しく表示できず、また、画面を複数のフレームに分割し、各フレームに異なるＵＲＬ（Uniform Resource Locator）を有するファイルを割り当てるフレーム表示のＷｅｂページを含むようなＷｅｂサイトなどでは、管理者側が携帯電話機からのアクセス自体を拒否することもある。
【０００５】
最近は、ＰＣ向けＷｅｂページを閲覧できる「フルブラウザ機能」又は「ＰＣサイトビュー機能」を有する携帯電話機が発売されているが、多くの場合、画像を付属ディスプレイの画面水平解像度（縦長ＱＶＧＡの場合、240画素）に合わせて縮小したり、テキスト部分を画面幅で改行したり、フレーム表示のＷｅｂページについてはフレーム単位での画面イメージを表示したりするなど特殊なレンダリングモードを採用しており、Ｗｅｂページの作成者が本来意図したはずの、ＰＣの画面イメージとして実現されるレイアウトで表示されるわけではない。
また、携帯電話機によっては、ＰＣでの画面イメージに近いレイアウトで表示するレンダリングモードを有する場合もあるが、通常、ＰＣ向けＷｅｂページは、最低でもＶＧＡ（Video Graphics Array）サイズ（水平画素数×垂直画素数＝640×480画素）の画面で閲覧されることを想定して作成するため、このレンダリングモードでは、水平スクロールを何度も繰り返さなければＷｅｂページの全体を閲覧することができず、したがって、Ｗｅｂページの全容を理解することに支障が生じる。
【０００６】
このような問題を解決するため、特許文献１及び特許文献２においては、文字入力手段（又は外部キャラクタ入力手段）、送受信手段、表示手段、記憶手段及びデータ処理手段を備えた携帯情報通信装置において、外部ディスプレイ手段と外部文字入力手段（又は外部キャラクタ入力手段）とを含む周辺装置を接続するインターフェース手段Ａを備えるとともに、データ処理手段とインターフェース手段Ａが相俟って、外部ディスプレイ手段に外部表示データを送信する機能と、外部文字入力手段（又は外部キャラクタ入力手段）から外部文字データ（又は外部キャラクタデータ）を受信する機能を実現できるような構成とした携帯情報通信装置が開示されている。
【０００７】
また、該携帯情報通信装置とともに用いる接続ユニットであって、該携帯情報通信装置のインターフェース手段Ａと接続され、該インターフェース手段Ａから外部表示データを受信する機能と、該インターフェース手段Ａに外部文字データ（又は外部キャラクタデータ）を送信する機能とを有するインターフェース手段Ｂと、外部文字入力装置（又は外部キャラクタ入力装置）と外部ディスプレイ装置とが接続され、外部文字入装置（又は外部キャラクタ入力装置）から外部文字データ（又は外部キャラクタデータ）を受信する機能と、外部ディスプレイ装置に外部表示信号を送信する機能とを有するインターフェース手段Ｃとを備える携帯情報通信装置用接続ユニットが開示されている。
【０００８】
さらに、該携帯情報通信装置とともに用いる外部入出力ユニットであって、ユーザーのキー操作に応じて外部文字データ（又は外部キャラクタデータ）を生成して後記インターフェース手段Ｄへ送信する外部文字入力手段（又は外部キャラクタ入力手段）と、後記インターフェース手段Ｄ経由で外部表示データを受信して文字や画像を表示する外部ディスプレイ手段と、前記携帯情報通信装置のインターフェース手段Ａと接続され、該インターフェース手段Ａから外部表示データを受信する機能と、該インターフェース手段Ａに外部文字データ（又は外部キャラクタデータ）を送信する機能とを有するインターフェース手段Ｄとを備える携帯情報通信装置用外部入出力ユニットが開示されている。
【０００９】
そこで開示された携帯情報通信装置と携帯情報通信装置用接続ユニットとを接続し、該接続ユニットに外部文字入力装置（又は外部キャラクタ入力装置）と外部ディスプレイ装置とを接続することによって、又は、携帯情報通信装置と携帯情報通信装置用外部入出力ユニットを接続することによってＰＣシステムを構成し、外部ディスプレイ装置又は外部入出力ユニットにおける外部ディスプレイ手段として大画面及び／又は高解像度のもの採用することにより、携帯情報通信装置の付属ディスプレイの画面サイズ・画面解像度に制約を受けることなく高解像度の画像を表示することができるため、ＰＣ向けＷｅｂページも支障なく閲覧できるようになる。
【００１０】
ところで、移動通信システムにおいては、無線基地局を中心にした一定サイズのセル（現状の携帯電話の場合半径１〜数ｋｍ）を多数配置し、これによって通話システムを構成するセルラーシステムを採用しているが、音声通話のような回線交換通信の場合、１つのセル内で同時通信が可能な端末数には限界がある。このため、Ｗｅｂページの閲覧のようなデータ通信においては、データを小さなまとまり（パケット）に分割して一つ一つ送受信するパケット通信が用いられるが、その場合でもトラフィック量（パケット数）が増えすぎると、通信速度が低下するなどの障害が発生することがある。
【００１１】
一般に、ＰＣ向けＷｅｂページを構成するマークアップ文書ファイル及びそのリンクファイルはファイルサイズが大きいため、その閲覧時に通信されるパケット数は大きくなる。このため、仮に特許文献１及び２で開示されているような技術が実用化されたとしても、移動通信用端末である携帯情報通信装置を用いてＰＣ向けＷｅｂページを閲覧するケースが増加してくると、移動通信システムにおける通信の安定性に悪影響が生じることが懸念される。
【００１２】
【特許文献１】特開２００６−１９１６７８
【特許文献２】特開２００６−２９５９６５
【発明の開示】
【発明が解決しようとする課題】
【００１３】
本発明はこのような事情に鑑みてなされたものであり、その目的とするところは、移動通信用端末である携帯情報通信装置に大画面・高解像度の外部ディスプレイ手段を備えた外部装置を接続した情報通信システムにおいて、該外部ディスプレイ手段を用いてＰＣ向けＷｅｂページのようなファイルサイズの大きいマークアップ文書ファイル及びそのリンクファイルで構成されるＷｅｂページを閲覧することを、移動通信システムの通信の安定性に悪影響を与えることなく実現する手段を提供する点にある。
【課題を解決するための手段】
【００１４】
上記目的を達成するために、情報通信システムに係る第１の発明は、（１）ＩＳＰ（Internet Service Provider）システムと接続したモバイルアクセスネットワークから送信される無線信号を受信してデジタル信号に変換の上、後記データ処理手段に送信するとともに、後記データ処理手段から受信したデジタル信号を無線信号に変換して前記モバイルアクセスネットワークへ送信する無線通信手段Ａと；後記データ処理手段を動作させるプログラムと後記データ処理手段で処理可能なデータとを格納する記憶手段と；前記記憶手段に格納されたプログラムに基づき、前記無線通信手段Ａから受信したデジタル信号及び／又は前記記憶手段から読み出したデータに必要な処理を行って、デジタル表示信号及びその他のデジタル信号を生成して送信するデータ処理手段と；画面を構成する各々の画素が駆動されることにより画像を表示するディスプレイパネルと、前記データ処理手段から受信したデジタル表示信号に基づき前記ディスプレイパネルの各々の画素を駆動するディスプレイ制御手段とから構成されるディスプレイ手段と；後記外部ディスプレイ手段を伴う外部装置に対して、前記データ処理手段から受信したデジタル表示信号に基づき、外部表示信号を送信するインターフェース手段Ａと；を備えるとともに、前記無線通信手段Ａと前記データ処理手段とが相俟って、モバイルアクセスネットワークを経由して、該モバイルアクセスネットワークと接続したＩＳＰシステム（以下、モバイル対応ＩＳＰシステムと略称する）との間で情報のやり取りを行う機能を実現し、前記データ処理手段は、前記モバイル対応ＩＳＰシステムから受信した情報を処理することによってリアルタイムでデジタル表示信号を生成する機能、及び／又は、該情報をデータファイルとして前記記憶手段に一旦格納し、その後読み出した上で処理することによってデジタル表示信号を生成する機能を有する携帯情報通信装置と、（２）前記携帯情報通信装置（１）のインターフェース手段Ａと接続され、該インターフェース手段Ａから外部表示信号を受信するインターフェース手段Ｂと；該インターフェース手段Ｂを経由して受信した外部表示信号に基づき画像を表示する外部ディスプレイ手段と；を備えた外部装置と、から構成される情報通信システムであって、前記携帯情報通信装置（１）及び／又は前記外部装置（２）は、モバイルアクセスネットワークを経由せずに、前記モバイル対応ＩＳＰシステムと同じか又は別のＩＳＰシステムとの間で情報のやり取りを行うための第二通信手段を備えるようにしたものである。
【００１５】
なお、本「明細書」及び「特許請求の範囲」でいう「モバイルアクセスネットワーク」とは、Ｗｅｂクライアントである移動通信用端末との間で無線信号のやり取りを行う複数の無線基地局を相互に接続することによって構成され、ルータ、ゲートウェイ装置、回線終端装置などの接続装置と、通常は専用線である接続用通信回線とを介してＩＳＰシステムと接続されるネットワークのことである。
また、本「明細書」及び「特許請求の範囲」でいう「固定アクセスネットワーク」とは、ＷｅｂクライアントであるＰＣ等の端末との間で有線信号又は無線信号のやり取りを行うユーザー側回線終端装置が有線で接続された、固定電話局、ＣＡＴＶ（Community Antenna TeleVision）基地局、光ファイバの収容局などの複数の有線基地局を相互に接続することによって構成され、接続装置と接続用通信回線とを介してＩＳＰシステムと接続されるネットワークのことである。そして、本「明細書」及び「特許請求の範囲」でいう「ユーザー側回線終端装置」とは、光ファイバーによってインターネットに接続する際に用いる「光回線終端装置（又はメディアコンバータ）」だけを意味するのではなく、アナログ電話回線によってインターネットに接続する際に用いる「モデム」、ＩＳＤＮ（Integrated Services Digital Network）回線によってインターネットに接続する際に用いる「ターミナルアダプタ」、ｘＤＳＬ（Digital Subscriber Line）サービスによってインターネットに接続する際に用いる「ｘＤＳＬモデム」、ＣＡＴＶサービスによってインターネットに接続する際に用いる「ケーブルモデム」、さらには光ファイバーなどの公衆回線と電力線通信を併用する場合の「ＰＬＣ（Power Line Communications）親モデム」などを含む総称である。
さらに、本「明細書」及び「特許請求の範囲」でいう「デジタル表示信号」には、ビットマップ方式等で定義されたデジタル画像データに直接対応した信号だけでなく、デジタル画像データの生成（描画）を命令する描画命令のデジタル信号も含む。
また、本「明細書」及び「特許請求の範囲」でいう「外部ディスプレイ手段を伴う外部装置」には、ディスプレイパネル等が該外部装置の筐体の一部を構成していたり、ディスプレイパネル等が外部装置の本体筐体とヒンジ等で接続されることにより実質的に一体的に構成されていたりする装置だけではなく、「外部ディスプレイ装置と、該外部ディスプレイ装置と携帯情報通信装置とを媒介する接続ユニットとがケーブルで接続されている装置」も含む。そして、「外部装置における外部ディスプレイ手段」という表記によって、「外部装置に含まれた外部ディスプレイ手段又は外部装置に接続された外部ディスプレイ手段」を意味する。
さらに、本「明細書」及び「特許請求の範囲」でいう「外部表示信号」とは、外部装置における外部ディスプレイ手段がそれを受信して適切に処理することにより画像を表示することが可能であるような信号を意味する。そして、表示信号又は画像データファイル（以下、表示信号等と略記する）を「適切に処理する」とは、ディスプレイ手段、又は、データ処理手段及びディスプレイ手段が、表示信号等に含まれている画素ごとの論理的な色情報を、ディスプレイ手段の画面を構成する物理的な画素の色表示として過不足なく現実化することを意味しており、より具体的には、物理的な現実化にあたって画素を間引いて表示画像の解像度を小さくしたり、画素を補間して表示画像の解像度を大きくしたりしないことを意味している。
【００１６】
また、情報通信システムに係る第２の発明は、第１の発明の情報通信システムにおいて、前記第二通信手段を用いた通信が可能であるかどうかを判定する通信可否判定手段と；前記無線通信手段Ａ又は前記第二通信手段のいずれかを選択して使用する通信切替手段と；を備え、該通信切替手段は、前記通信可否判定手段が通信可能であると判定した場合に、データ処理手段がデジタル信号の送受信する先として、前記第二通信手段を優先的に選択する機能を有するようにしたものである。
【００１７】
また、情報通信システムに係る第３の発明は、第１又は第２の発明の情報通信システムにおいて、前記第二通信手段は、ＩＳＰシステムに接続する固定アクセスネットワークのユーザー側回線終端装置から、又は、該ユーザー側回線終端装置と前記情報通信システムとを接続する中継装置から無線信号又は有線信号を受信し、必要な処理を行った上で、デジタル信号として前記データ処理手段に送信するとともに、前記データ処理手段からデジタル信号を受信して必要な処理を行った上で、無線信号又は有線信号として前記ユーザー側回線終端装置又は前記中継装置に送信する機能を有するようにしたものである。
【００１８】
なお、本「明細書」及び「特許請求の範囲」でいう「中継装置」とは、複数のデータ処理端末を接続する「ハブ」、ネットワークとネットワークを接続する「ルータ」、無線ＬＡＮと有線ネットワークを接続する「無線ＬＡＮアクセスポイント装置」、ＤＳＵ（Digital Service Unit）やＯＮＵ（Optical Network Unit）などの「加入者網終端装置」、さらには光ファイバーなどの公衆回線と電力線通信を併用する場合の「ＰＬＣ子モデム」などを含む総称である。
また、「モデム内蔵ルータ」や「モデム内蔵無線ＬＡＮアクセスポイント装置」など、ユーザー側回線終端装置と中継装置を一体化した装置も実用化されているが、本「明細書」及び「特許請求の範囲」において「ユーザー側回線終端装置又は中継装置」という場合、これらの一体化された装置も含む。
【００１９】
また、情報通信システムに係る第４の発明は、第３の発明の情報通信システムにおいて、前記無線通信手段Ａ又は前記第二通信手段のいずれかを選択して使用する通信切替手段を備え、無線通信手段Ａ又は第二通信手段のいずれの通信手段を使用しているかを判別可能な情報（以下、通信手段情報と略記する）を、前記通信切替手段が前記無線通信手段Ａを選択した場合には、前記データ処理手段と前記無線通信手段Ａとが相俟って、前記モバイルアクセスネットワークを経由して、該モバイルアクセスネットワークに接続したモバイル対応ＩＳＰシステムへ、前記通信切替手段前記無線通信手段Ａを選択した場合には、前記データ処理手段と前記第二通信手段とが相俟って、前記固定アクセスネットワークを経由して、該固定アクセスネットワークに接続したＩＳＰシステムへ、それぞれ送信する機能を有するようにしたものである。
【００２０】
この場合、前記通信手段情報は、無線通信手段Ａ又は前記第二通信手段のいずれかから送信されるユーザーエージェント情報の一部として送信することができる。なお、ここでいう「ユーザーエージェント情報」とは、Ｗｅｂサーバから取得したデータを取得して解釈するＷｅｂクライアント側のシステム情報のことである。特に、ＨＴＴＰ（HyperText Transfer Protocol）においては、データの送信要求に伴って「ユーザーエージェント文字列」として送信されるため、外部ディスプレイ接続情報をユーザーエージェント情報の一部として送信する際には、ユーザーエージェント文字列の中に通信手段の種類を表現する文字列を含めることになる。
【００２１】
また、携帯情報通信装置に係る第５の発明は、第３又は第４の発明の情報通信システムを構成する携帯情報通信装置（１）であって、前記第二通信手段として無線通信手段Ｂを備え、該無線通信手段Ｂは、無線ＬＡＮアクセスポイント装置との間で無線信号の送受信を行う機能を有するようにしたものである。
【００２２】
また、携帯情報通信装置に係る第６の発明は、第５の発明の携帯情報通信装置において、該携帯情報通信装置と前記外部装置とが接続していることを検知する接続検知手段と；
無線通信手段Ｂを用いた通信が可能であるかどうかを判定する通信可否判断手段と；
を備え、前記通信可否判断手段は、接続可能な無線ＬＡＮアクセスポイント装置を探索する機能を有した上で、該探索機能は、前記接続検知手段が接続していることを検知した場合に作動するように設定できるようにしたものである。
【００２３】
また、情報通信システムに係る第７の発明は、第３又は第４の情報通信システムにおいて、前記外部装置（２）は、第二通信手段としてインターフェース手段Ｃを備え、該インターフェース手段Ｃは、前記ユーザー側回線終端装置又は中継装置との間で無線信号又は有線信号の送受信を行う機能を有するとともに、前記インターフェース手段Ａと前記インターフェース手段Ｂとが相俟って、前記ユーザー側回線終端装置又は中継装置から受信した無線信号又は有線信号に必要な処理を行った上で、デジタル信号として前記データ処理手段に送信するとともに、前記データ処理手段から受信したデジタル信号に必要な処理を行った上で、無線信号又は有線信号として前記ユーザー側回線終端装置又は前記中継装置に送信する機能を実現するようにしたものである。
【００２４】
また、携帯情報通信装置に係る第８の発明は、第７の発明の情報通信システムを構成する携帯情報通信装置（１）であって、前記インターフェース手段Ａは、前記外部装置（２）のインターフェース手段Ｂ経由で受信した信号に必要な処理を行った上で、デジタル信号として前記データ処理手段に送信するとともに、前記データ処理手段から受信したデジタル信号に必要な処理を行った上で、前記外部装置（２）の前記インターフェース手段に送信する機能を有するようにしたものである。
【００２５】
また、外部装置に係る第９の発明は、第７の発明の情報通信システムを構成する外部装置（２）であって、前記ユーザー側回線終端装置又は中継装置との間で無線信号又は有線信号の送受信を行う機能を有するインターフェース手段Ｃを備え、前記インターフェース手段Ｂは、前記インターフェース手段Ｃ経由で受信した無線信号又は有線信号に必要な処理を行った上で、インターフェース手段Ａに送信するとともに、インターフェース手段Ｂとインターフェース手段Ｃとが相俟って、インターフェース手段Ａ経由で受信した信号に必要な処理を行った上で、無線信号又は有線信号として前記ユーザー側回線終端装置又は前記中継装置に送信する機能を実現するようにしたものである。
【００２６】
また、外部装置に係る第１０の発明は、第９の発明の外部装置において、前記インターフェース手段Ｃは、イーサネット（登録商標）のＮＩＣ（Network Interface Card）の機能を有するようにしたものである。
【００２７】
また、外部装置に係る第１１の発明は、第９の発明の外部装置において、前記インターフェース手段Ｃは、無線ＬＡＮアクセスポイント装置との間で無線信号の送受信を行う機能を有するようにしたものである。
【００２８】
また、情報通信システムに係る第１２の発明は、第１乃至第４又は第７のいずれか一つの発明の情報通信システムにおいて、前記携帯情報通信装置（１）は個体識別子及び／又はモバイルアクセスネットワークシステムにおける契約者回線番号が付与された上で、前記データ処理手段と前記無線通信手段Ａとが相俟って、前記個体識別子、契約者回線番号又はそれらを特定可能な情報（以下、端末識別情報と略記とする）をデータの送信要求及びその他の情報（以下、送信要求等と略記する）とともに前記無線通信手段Ａからモバイルアクセスネットワークへ送信する機能を実現するとともに、前記データ処理手段と前記第二通信手段とが相俟って、前記端末識別情報を送信要求等とともに前記第二通信手段から固定アクセスネットワークに送信する機能を実現するようにしたものである。
【００２９】
また、ＩＳＰシステムに係る第１３の発明は、Ｗｅｂクライアントから受信した送信要求等を、他のＩＳＰシステムを経由せずに、モバイルアクセスネットワーク及び固定アクセスネットワークの双方のアクセスネットワークから直接受信可能なＩＳＰシステムであって、第１２の発明における情報通信システムが前記端末識別情報を前記モバイルアクセスネットワーク経由又は前記固定アクセスネットワーク経由のいずれの経由で送信した場合でも、前記端末識別情報に基づいて前記情報通信システムの認証を行った上で、アクセスを制御する機能を有するようにしたものである。
【００３０】
また、ＩＳＰシステムに係る第１４の発明は、Ｗｅｂクライアントから受信した送信要求等を、他のＩＳＰシステムを経由せずに、モバイルアクセスネットワーク及び固定アクセスネットワークの双方のアクセスネットワークから直接受信可能なＩＳＰシステムであって、Ｗｅｂサーバに対し、前記送信要求等に加えて、該送信要求等がモバイルアクセスネットワーク経由又は固定アクセスネットワーク経由のいずれの経路で送信されたかが判別可能な情報（以下、経路情報と略記する）を送信する機能を有するようにしたものである。
【００３１】
また、情報通信システムに係る第１５の発明は、Ｗｅｂクライアントから受信した送信要求等に基づき、該Ｗｅｂクライアントにデータを送信するＷｅｂサーバであって、第４の発明における情報通信システムから送信される通信手段情報、及び／又は、第１４の発明におけるＩＳＰシステムから送信される経路情報を受信し、前記通信手段情報及び／又は該経路情報に基づいて、前記送信要求等がモバイルアクセスネットワーク経由又は固定アクセスネットワーク経由のいずれの経路で送信されたかを判別する送信経路判別手段と；該送信経路判別手段が判別した結果に基づいて、前記情報通信システムに送信するデータを切り替えるための送信データ切替手段と；を備えるようにしたものである。
【００３２】
また、Ｗｅｂサーバに係る第１６の発明は、第１５の発明のＷｅｂサーバにおいて、記述内容は略共通であるがレイアウト形式は異なる複数のマークアップ文書ファイルを格納するファイル格納手段を備え、前記送信データ切替手段は、前記送信経路判別手段が送信要求等が固定アクセスネットワーク経由で送信されたと判別した場合には、前記ファイル格納手段に格納された複数のマークアップ文書ファイルのうち、改行幅がより広い固定幅レイアウトのマークアップ文書ファイルを送信し、前記送信経路判別手段が送信要求等がモバイルアクセスネットワーク経由で送信されたと判別した場合には、前記ファイル格納手段に格納された複数のマークアップ文書ファイルのうち、改行幅がより狭い固定幅レイアウトのマークアップ文書ファイル又はリキッドレイアウトのマークアップ文書ファイルを送信する機能を有するようにしたものである。
【００３３】
また、Ｗｅｂサーバに係る第１７の発明は、第１５又は第１６の発明のＷｅｂサーバにおいて、表示対象は略共通であるが本来解像度は異なる複数の画像データファイルを格納するファイル格納手段を備え、前記送信データ切替手段は、前記送信経路判別手段が送信要求等が固定アクセスネットワーク経由で送信されたと判別した場合には、前記ファイル格納手段に格納された複数の画像データファイルのうち、本来解像度がより高い画像データファイルを送信し、前記送信経路判別手段が送信要求等がモバイルアクセスネットワーク経由で送信されたと判別した場合には、前記ファイル格納手段に格納された複数の画像データファイルのうち、本来解像度がより低い画像データファイルを送信する機能を有するようにしたものである。
【００３４】
なお、本「明細書」及び「特許請求の範囲」でいう「画像データファイルの『本来解像度』」とは、該画像データファイルを受信して適切に処理することにより表示される本来の画像の解像度を意味する。
また、本「明細書」及び「特許請求の範囲」でいう「（画像データファイルが）表示対象は略共通であるが本来解像度は異なる」ケースには、「表示対象の表示範囲は略共通であり、本来解像度だけが異なる」ケースと「本来解像度だけでなく、表示対象の表示範囲自体が異なる」ケースの双方を含む。また、特に画像データファイルが文字等のキャラクタ情報を含む場合、例えば、「表示対象の表示範囲は略共通であり、本来解像度だけが異なる」ケースには、「含まれるキャラクタ情報は略共通であるが、そのキャラクタ表示のフォント等が異なる」ケースと「キャラクタ表示のフォント等だけではなく、含まれるキャラクタ情報自体に過不足がある」ケースの双方を含む。
【００３５】
また、Ｗｅｂサーバに係る第１８の発明は、第１５の発明のＷｅｂサーバにおいて、Ｗｅｂクライアントから送信されるデータに基づいて必要な処理を行い、該Ｗｅｂクライアントに送信すべきデータを出力するアプリケーション・ソフトウェアであって、複数のモードで動作可能なアプリケーション・ソフトウェアを実行するアプリケーション実行手段を備え、前記送信データ切替手段は、前記送信経路判別手段が判別した結果に基づき、アプリケーション実行手段で実行されるアプリケーション・ソフトウェアを切り替える機能を有するようにしたものである。
【００３６】
また、Ｗｅｂサーバに係る第１９の発明は、第１５の発明のＷｅｂサーバにおいて、Ｗｅｂクライアントから送信されるデータに基づいて必要な処理を行い、該Ｗｅｂクライアントに送信すべきデータを出力するアプリケーション・ソフトウェアであって、複数のモードで動作可能なアプリケーション・ソフトウェアを実行するアプリケーション実行手段を備え、前記送信データ切替手段は、該送信経路判別手段が判別した結果に基づいて、アプリケーション実行手段で実行されるアプリケーション・ソフトウェアのモードを切り替える機能を有するようにしたものである。
【００３７】
また、Ｗｅｂサーバに係る第２０の発明は、第１８又は第１９の発明のＷｅｂサーバにおいて、前記アプリケーション実行手段が、Ｗｅｂクライアントから送信されるデータに基づいてマークアップ文書ファイルを生成する機能を有し、前記送信データ切替手段と前記アプリケーション実行手段とが相俟って、前記送信経路判別手段が送信要求等が固定アクセスネットワーク経由で送信されたと判別した場合には、改行幅がより広い固定幅レイアウトのマークアップ文書ファイルを生成して送信し、前記送信経路判別手段が送信要求等がモバイルアクセスネットワーク経由で送信されたと判別した場合には、改行幅がより狭い固定幅レイアウトのマークアップ文書ファイル又はリキッドレイアウトのマークアップ文書ファイルを生成して送信する機能を有するようにしたものである。
【発明の効果】
【００３８】
第１乃至第４のいずれか一つ、第７又は第１２の発明の情報通信システム、又は、第５、第６又は第８の発明の携帯情報通信装置、第９乃至１１のいずれか一つの発明の外部装置によれば、付属するディスプレイパネルにおいてだけではなく、外部装置が伴う外部ディスプレイ手段においても画像を表示させることができるため、携帯情報通信装置に付属するディスプレイパネルの画面サイズ・画面解像度の制約を受けることなくＷｅｂページの閲覧をすることができる。しかも、固定アクセスネットワークを用いてＩＳＰ（Internet Service Provider）との間で情報のやり取りを行うことができるため、ＰＣ向けＷｅｂページを構成するようなマイクアップ文書ファイル及びそのリンクファイルを取得するような場合でも、モバイルアクセスネットワークのトラフィック量を増大させることはない。また、一般に、固定ネットワークは、モバイルアクセスネットワークと比較して、大量のデータを高速・低コストでやり取りすることができるため、各ユーザーにとってもメリットがある。
【００３９】
このうち、特に第２の発明の情報通信システム、又は、第６の携帯情報通信装置によれば、第二通信手段を用いた通信が可能である場合には、自動的に該第二通信手段が選択されるようにすることができるので、ユーザーが通信手段の選択に煩わされることはない。
【００４０】
また、特に第４の発明の情報通信システムによれば、Ｗｅｂサーバに対して、送信情報等に伴って通信手段情報を送信することができるため、該送信要求等を受信したＷｅｂサーバは、該経路情報に基づいて、Ｗｅｂクライアントがモバイルアクセスネットワーク経由又は固定アクセスネットワーク経由のいずれの経路でアクセスしているかを判別することができる。この結果、該Ｗｅｂサーバが、その判別結果に基づいて送信するデータを切り替える機能を有していれば、情報通信システムは、アクセス経路に応じてより適合性の高いデータを受信することができる。
【００４１】
さらに、特に第５又は第６の発明の携帯情報通信装置によれば、既にいくつかの携帯電話機又はＰＨＳで実用化されているように、移動通信システム（セルラー通信システム）の無線通信手段Ａと無線ＬＡＮ用の無線通信手段Ｂとを併用する技術を用いることにより、外部装置側にユーザー側回線終端装置や中継装置とのインターフェース手段を設ける必要がなく、外部装置の構造を簡易にできる。
逆に、特に第７の発明の情報通信システム、第８の発明の携帯情報通信装置、又は、第９乃至１１のいずれか一つの発明の外部装置によれば、外部装置側にユーザー側回線終端装置や中継装置とのインターフェース手段を設けることにより、携帯情報通信装置側の通信手段の構成を簡素にすることができる。そして、そのうちでも特に第１０の発明の情報通信装置によれば、ユーザー側回線終端装置や中継装置とのインターフェース手段として、ＰＣ等の分野で汎用的に用いられているイーサネット（登録商標）のＮＩＣを採用することにより、外部装置をさらに安価に構成することができる。また、そのうちでも特に第１１の発明の情報通信装置によれば、外部装置とユーザー側回線終端装置や中継装置との接続を無線で行うことができる。
【００４２】
また、特に第１２の発明の情報通信システムによれば、あるＩＳＰシステムがモバイルアクセスネットワークと固定アクセスネットワークの双方に接続しており、一方、該情報通信システムにおける無線通信手段Ａがモバイルネットワークに、第二通信手段が固定アクセスネットワークに、それぞれアクセスできる場合、該ＩＳＰシステムにおいて、該情報通信システムが、モバイルアクセスネットワーク経由又は固定アクセスネットワーク経由のいずれの経路でアクセスしても、同一の端末識別情報に基づいてアクセス管理を行うことを可能にする。
【００４３】
次に、第１３の発明のＩＳＰシステムによれば、第１２の発明の情報通信システムが、モバイルアクセスネットワーク経由又は固定アクセスネットワーク経由のいずれの経路でアクセスした場合でも、同一の端末識別情報に基づいてアクセス管理を行うことができるため、アクセス管理システムを簡素化することができる。
【００４４】
また、第１４の発明のＩＳＰシステムによれば、Ｗｅｂサーバに対して、送信情報等に伴って経路情報を送信することができるため、該送信要求等を受信したＷｅｂサーバは、該経路情報に基づいて、Ｗｅｂクライアントがモバイルアクセスネットワーク経由又は固定アクセスネットワーク経由のいずれの経路でアクセスしているかを判別することができる。この結果、該Ｗｅｂサーバが、その判別結果に基づいて送信するデータを切り替える機能を有していれば、Ｗｅｂクライアントは、アクセス経路に応じてより適合性の高いデータを受信することができる。
【００４５】
最後に、第１５乃至第２０のいずれか一つの発明のＷｅｂサーバによれば、第４の発明の情報通信システムから送信要求等を受信した場合に、あるいは、第１４の発明のＩＳＰシステム経由で送信要求等を受信した場合に、該送信要求等に伴って送信される通信手段情報又は経路情報に基づいて送信するデータを切り替えることにより、Ｗｅｂクライアントは、外部ディスプレイ接続状況に応じて、より適合性の高いデータを受信することができるようになる。
【００４６】
このうち、特に第１６又は第２０のＷｅｂサーバによれば、第４の発明の情報通信システムから送信要求等を受信した場合に、又は、第１４の発明のＩＳＰシステム経由で送信要求等を受信した場合に、該送信要求等に伴って送信される通信手段情報又は経路情報に基づいて送信するマークアップ文書ファイルを切り替えることにより、第４の発明の情報通信システム、又は、第１４の発明のＩＳＰシステムにアクセスするＷｅｂクライアントでは、例えば、モバイルアクセスネットワーク経由でアクセスしている場合には、改行幅が狭い固定幅レイアウトのＷｅｂページを付属ディスプレイパネルにおいて閲覧し、固定アクセスネットワーク経由でアクセスしている場合には、改行幅が広い固定幅レイアウトのＷｅｂページを外部ディスプレイ手段において閲覧するというようなことができる。
【００４７】
また、特に第１７の発明のＷｅｂサーバによれば、第４の発明の情報通信システムから送信要求等を受信した場合に、又は、第１４の発明のＩＳＰシステム経由で送信要求等を受信した場合に、該送信要求等に伴って送信される通信手段情報又は経路情報に基づいて画像データファイルを切り替えることにより、第４の発明の情報通信システム、又は、第１４の発明のＩＳＰシステムにアクセスするＷｅｂクライアントでは、例えば、モバイルアクセスネットワーク経由でアクセスしている場合には、解像度の低い画像を付属ディスプレイパネルにおいて表示し、固定アクセスネットワーク経由でアクセスしている場合には、解像度の高い画像を外部ディスプレイ手段において表示するというようなことができる。
【発明を実施するための最良の形態】
【００４８】
以下、図面を参照して本発明の実施形態について説明する。ただし、本発明はかかる実施形態に限定されず、その技術思想の範囲内で種々の変更が可能である。
（第１の実施形態）
図１は、本発明の第１の実施形態に係る携帯情報通信装置、携帯情報通信装置用接続ユニット、及び両者を接続した上で該接続ユニットに外部ディスプレイ装置及び外部入力装置を接続することによって構成した情報通信システムの構成及び機能を説明するためのブロック図であり、特に、該携帯情報通信装置が携帯電話機である場合について説明している。
なお、図１において、携帯電話機1が「特許請求の範囲」でいうところの携帯情報通信装置（１）にあたり、接続ユニット3に外部ディスプレイ装置5及び外部入力装置（外部キーボード61及びマウス62）を接続した全体が「特許請求の範囲」でいうところの外部装置（２）にあたる。
【００４９】
この実施形態においては、携帯電話機1は、それ単独として、音声通話用、データ通信・処理用、又は、画像データ及び／又は音声データの保存・再生用として使用することができ、音声通話以外の用途で使用する場合には、各種の画像が、付属ディスプレイパネルであるＬＣＤ（Liquid Crystal Display）パネル15Aに表示される。
以下では、ＬＣＤパネル15AはＱＶＧＡサイズの画面解像度を有し、通常は縦長画面（水平画素数×垂直画素数＝240×320画素）で使用するものとして説明するが、それ以外の解像度であってもよい。
【００５０】
まず、携帯電話機1が音声通話用に使用される場合、マイクロホン18Aから入力された音声はＣＯＤＥＣ（COder-DECoder）18Cによってデジタル信号に変換され、該デジタル信号はベースバンドプロセッサ11及びＲＦ（Radio Frequency）送受信部111Bを経由し、移動通信用アンテナ111Aから電波信号としてモバイルアクセスネットワークに送信される。逆に、音声通話の相手先からの電波信号としてモバイルアクセスネットワークに送信された音声データは移動通信用アンテナ111Aで受信され、ＲＦ送受信部１_111B及びベースバンドプロセッサ11を経由することによりデジタル信号に変換され、該デジタル信号はＣＯＤＥＣ_18Cでアナログ電気信号に変換され、最終的にスピーカ18Bから音声として出力される。
ここで、移動通信用アンテナ111AにＲＦ送受信部１_111Bを加えた全体が「特許請求の範囲」でいうところの無線通信手段にあたる。
【００５１】
次に、携帯電話機1がデータ通信・処理用に使用される場合、通常は20個前後のダイヤルキーやジョグキーなどからなるキー操作部16Aを操作することによって入力され、キー入力コントローラ16Bでデジタル信号に変換されたキャラクタデータ等のデータ、及び／又は、インターネットプロトコルに準拠した電波信号をモバイルアクセスネットワークから移動通信用アンテナ111Aで受信し、ＲＦ送受信部１_111B及びベースバンドプロセッサ11を経由することによりデジタル信号に変換されたデータが、バス19を経由して中央演算回路10Aに転送される。中央演算回路10Aは、フラッシュメモリ14Aに格納されたプログラムに基づいて必要な処理を行い、処理されたデータは、バス19を経由して、フラッシュメモリ14A及びＲＡＭ（Random Access Memory）14Bや、グラフィックコントローラ10Bや、ベースバンドプロセッサ11に転送される。そして、最終的には、ＬＣＤパネル15Aに画像が表示されたり、スピーカ18Bから音声が出力されたり、移動通信用アンテナ111Aから電波信号が送信されたり、フラッシュメモリ14Aにデータファイルとして保存されたりする。
ここで、フラッシュメモリ14A及びＲＡＭ_14Bが、「特許請求の範囲」でいうところの記憶手段にあたる。その際、図１には記載されていないが、記憶手段として、メモリカード等の着脱式の記憶媒体を追加することもできる。また、中央演算回路10A、グラフィックコントローラ10B及びベースバンドプロセッサ11に、後記のＶＲＡＭ_10Cを加えた全体が、「特許請求の範囲」でいうところのデータ処理手段にあたる。
【００５２】
図２は、本発明の第１の実施形態に係る携帯情報通信装置と、インターネットに接続されたＷｅｂサーバとの間での情報のやり取りを説明するための説明図である。
【００５３】
ユーザーが、携帯電話機1を用いてインターネット96に接続したＷｅｂサーバにアクセスし、Ｗｅｂページを閲覧する場合には、中央演算回路10Aは、キー操作部16Aを操作することによって入力されたキャラクタデータ等のデータとフラッシュメモリ14Aに格納されたブラウザプログラムに基づいて、Ｗｅｂページを構成するマークアップ文書ファイル及びそのリンクファイルを送信するように要求するデジタル信号を生成する。
該デジタル信号は、バス19、ベースバンドプロセッサ11、ＲＦ送受信部１_111B、移動通信用アンテナ111Aを経由して、インターネットプロトコルに準拠した電波信号としてモバイル基地局91に送信される。該電波信号はモバイル基地局91においてデジタル電気信号に変換され、モバイル回線921及び中継装置１_931を経由してＩＳＰシステム１_941に送信される。そして、該デジタル電気信号は、閲覧対象のＷｅｂページに対応するマークアップ文書ファイル及びそのリンクファイルが、ＩＳＰシステム１_941の管下にあるＷｅｂサーバ１_951に格納されている場合には、ＩＳＰシステム１_941とＷｅｂサーバ１_951を接続する回線を経由してＷｅｂサーバ１_951に送信され、マークアップ文書ファイル及びそのリンクファイルが、ＩＳＰシステム１_941以外のＩＳＰシステム２_942の管下にあるＷｅｂサーバ２_952に格納されている場合には、インターネット96及び該ＩＳＰシステムを経由してＷｅｂサーバ２_952に送信される。
【００５４】
マークアップ文書ファイルの送信要求は、より詳細にはＨＴＴＰ（HyperText Transfer Protocol）のＧＥＴリクエストとして送信され、該リクエストのヘッダ部には、携帯電話機1の機種（特に、外部ディスプレイ手段を伴う外部装置を接続することができる機種であること）を識別できるユーザーエージェント文字列が含まれる。そして、特に、携帯電話機1がそれ単独で使用されている場合には、該ユーザーエージェント文字列には「マークアップ文書ファイルの送信要求を、モバイルアクセスネットワークとの間で無線信号のやり取りを行う無線通信手段（以下、モバイル通信手段と略称する）によって送信していること」を識別できる文字列が含まれる。
【００５５】
一方、Ｗｅｂサーバ１_951又はＷｅｂサーバ２_952は、記述内容は略共通であるがレイアウト形式は異なる複数のマークアップ文書ファイルや、表示対象は略共通であるが本来解像度は異なる複数の画像データファイルを格納している。その上で、ＣＧＩやＰＨＰなどの機能を利用することにより、携帯電話機1からのＨＴＴＰリクエストに含まれるユーザーエージェント文字列に基づいて、マークアップ文書ファイルの送信要求がモバイルアクセスネットワーク経由又は固定アクセスネットワーク経由のいずれの経路で送信されたかが判別し、上記の複数のマークアップ文書ファイルや画像データファイルのうち、以下の通りに、より適合性の高いファイルを選択した上で送信する。
すなわち、上記のように携帯電話機1がそれ単独として使用されており、「マークアップ文書ファイルの送信要求をモバイル通信手段によって送信していること」を識別できる文字列を含むユーザーエージェント文字列が送信されてきた場合には、複数のマークアップ文書ファイルのうち、改行幅がより狭い固定幅レイアウト（より具体的には、ＬＣＤパネル15Aの画面水平解像度（240画素）程度の固定幅レイアウト）のマークアップ文書ファイル又はリキッドレイアウトのマークアップ文書ファイルを送信する。また、該マークアップ文書ファイルが画像データファイルにリンクしている場合には、複数の画像データファイルのうち、本来解像度がより低い画像データファイルを送信する。
【００５６】
これらのデータファイルは、Ｗｅｂサーバ１_951又はＷｅｂサーバ２_952からデジタル電気信号として、直接に又はインターネット96を経由して、ＩＳＰシステム１_94に送信される。そして、ＩＳＰシステム１_94は、前記ユーザーエージェント文字列の識別結果に基づき、デジタル電気信号を中継装置１_931及びモバイル回線921を経由して、モバイル基地局91に送信する。該デジタル電気信号は、モバイル基地局91で電波信号に変換されて送信され、該電波信号は、移動通信用アンテナ111A、ＲＦ送受信部１_111B、ベースバンドプロセッサ11及びバス19を経由して、最終的には中央演算回路10Aでデジタル信号として受信されることにより、Ｗｅｂページを構成するマークアップ文書ファイル及びそのリンクファイルを取得することができる。
その上で、中央演算回路10Aは、フラッシュメモリ14Aに格納されたブラウザプログラムに従い、ＬＣＤパネル15Aの画面水平解像度と同じ水平画素数を有するページ画像の描画命令を生成し、該描画命令をグラフィックコントローラ10Bに送信する。グラフィックコントローラ10Bは、該描画命令に基づき、十分に大きい論理解像度を有する仮想画面上においてビットマップデータを生成しＶＲＡＭ_10Cに書き込むとともに、ＬＣＤパネル15Aに表示され、ＬＣＤパネル15Aの画面解像度と同じ解像度を有する画像を記述するビットマップデータをＶＲＡＭ_10Cから切り出してＬＣＤドライバ15Bに送信する。ＬＣＤドライバ15Bは、該ビットマップデータに基づいてＬＣＤパネル15Aの画面を構成する各々の画素を駆動し、最終的に前記Ｗｅｂページに対応したページ画像の全部又は一部に、必要に応じて画面の上部・下部に表示されるメニュー表示等を組み合わせた全画面画像がＬＣＤパネル15Aに表示される。
【００５７】
図３は、本発明の第１の実施形態に係る携帯情報通信装置が、最適経路を算出する機能を有するＷｅｂサーバにアクセスした場合に、付属ディスプレイパネル（図１におけるＬＣＤパネル15A）表示される入力画面のページ画像を説明するためのイメージ図である。
【００５８】
このページはＣＨＴＭＬやＷＭＬなどの簡易版マークアップ言語で記述された目的地入力用のページであり、空欄に文字や数字のキャラクタを入力した上で「検索」や「リスト表示」のボタンをクリックすることによって、目的地をより詳細に規定する次のページに遷移するという比較的単純な機能だけを有している。このため、携帯電話機1のキー操作部16Aにおけるダイヤルキーやジョグキーの操作によって容易に入力・操作できる。
また、レイアウト形式としては、リキッドレイアウトを採用しており、画像データファイル等へもリンクしていないため、ＱＶＧＡサイズであるＬＣＤパネル15Aにおいても、水平スクロールすることなくページを閲覧することができる。
このような理由から、このページに対応するマークアップ文書ファイルはファイルサイズも小さいため、これがモバイルアクセスネットワークで送信されたとしても、モバイルアクセスネットワークの通信の安定性に悪影響を与えることはない。
【００５９】
携帯電話機1は、上記のようなＨＴＴＰリクエストによってマークアップ文書ファイルのリンクファイルとして画像データを取得するだけではなく、ＦＴＰ（File Transfer Protocol）リクエストによって、画像データファイル及び／又は音声データファイルをＷｅｂサーバ１_951又はＷｅｂサーバ２_952から取得し、それらのデータファイルを一旦フラッシュメモリ14Aに保存することができる。
携帯電話機１がこのようして保存した画像データファイル及び／又は音声データファイルを再生する場合、中央演算回路10Aは、キー操作部16Aを操作することにより入力されたデータに基づいてフラッシュメモリ14Aにアクセスしてデータファイルを読み出し、必要な処理を行うことにより、描画命令をグラフィックコントローラ10Bに出力したり、デジタル音声信号をベースバンドプロセッサ11経由でＣＯＤＥＣ_18Cに出力したりする。この結果、ＬＣＤパネル15Aに画像を表示したり、スピーカ18Bから音声を出力したり、あるいは動画である画像データと音声データを組み合わせたムービーとして再生することができる。
なお、動画である画像データやムービーの再生は、上記のように一旦保存したデータファイルを再び読み出すことによってだけではなく、データを受信しながら同時に再生を行うストリーミング方式で行うことも可能である。
【００６０】
動画である画像データを保存する場合には、ＭＰＥＧ（Moving Picture Experts Group）−１、ＭＰＥＧ−２、ＭＰＥＧ−４等のＭＰＥＧ規格のフォーマットで保存され、静止画である画像データを保存する場合には、ＢＭＰ、ＴＩＦＦ、ＪＰＥＧ、ＧＩＦ及びＰＮＧ等のフォーマットで保存される。また、音声データについては、ＷＡＶＥ形式や、ＭＰ３（ＭＰＥＧ Audio Layer ３）、ＡＩＦＦ（Audio Interchange File Format）、ＡＴＲＡＣ３（Adaptive TRansform Acoustic Coding ３）等のフォーマットで保存される。
ただし、いずれの場合でも、フラッシュメモリ14Aの容量には限界があるため、例えば、長時間のムービー等を保存することには制約が生じる。
なお、記憶手段として、メモリカード等の着脱式の記憶媒体を追加した場合には、Ｗｅｂサーバから取得した画像データ及び／又は音声データだけではなく、該着脱式記憶媒体に保存されたデータファイルについても同様の方法で、再生することができる。
【００６１】
以上が携帯電話機1をそれ単独として使用する場合の機能の概略であるが、携帯電話機1は接続ユニット3と接続するための外部接続端子部Ａ_13Dを備えており、携帯電話機1側の外部接続端子部Ａ_13Dと、接続ユニット3側のインターフェース部Ｂ_33を構成する外部接続端子Ｂ_33Dとを接続ケーブル2を介して接続することにより、携帯電話機1と接続ユニット3を一体的な情報通信システムとして動作させることができるようになる。
【００６２】
図４は、本発明の第１の実施形態に係る携帯情報通信装置と携帯情報通信装置用接続ユニットとを接続した上で、該接続ユニットに外部ディスプレイ装置及び外部入力装置を接続することによって構成した情報通信システムの構成を説明するための外観図であり、特に、該携帯情報通信装置が携帯電話機である場合を説明している。
【００６３】
この実施形態においては、接続ユニット3は携帯電話機1を挿入する挿入口33D1を有し、携帯電話機1を挿入口33D1に挿入することによって、携帯電話機1における外部接続端子部Ａ_13D（図４に図示されていない）と接続ユニット3におけるインターフェース部Ｂ_33（図４に図示されていない）の外部接続端子部Ｂ_33Dが接触し、結果として、携帯電話機1と接続ユニット3が接続される（したがって、ここでは接続ケーブル2は要しない）。
また、接続ユニット3は、外部キーボード61接続用、マウス62接続用及びケーブルモデム81接続用の外部入力接続端子36Dを有し、そこに外部キーボード61接続用ケーブル、マウス62接続用ケーブル及びケーブルモデム接続用ケーブルのコネクタを挿入することによって、これらの入力装置（外部キーボード61及びマウス62）及びユーザー側回線終端装置（ケーブルモデム81）を接続ユニット3に接続することができる。
さらに、接続ユニット3は、外部ディスプレイ装置5接続用の接続端子（図４に図示されていない）も有し、外部ディスプレイ5接続用ケーブルのコネクタを該接続端子と外部ディスプレイ装置5側の接続端子（図４に図示されていない）に接続することによって、外部ディスプレイ装置5を接続ユニット3に接続することができる。
【００６４】
この際、接続ユニット3と外部ディスプレイ装置5及び外部入力装置（外部キーボード61及びマウス62）との間のインターフェースを、ＤＶＩ（Digital Visual Interface）やＵＳＢ（Universal Serial Bus）等の汎用的な規格に合わせることより、コネクタやケーブルを安価に調達することができる。あるいは、ここで説明したような接続ケーブルや外部接続端子部同士の直接接触による接続の代わりに、BluetoothやIrDA（Infrared Data Association）規格等の無線手段を使用することも可能である。
一方、接続ユニット3とユーザー側回線終端装置（ケーブルモデム81）との間のインターフェース規格としては、イーサネット（登録商標）を採用することにより、コネクタやケーブルを安価に調達することができる。
【００６５】
一方、接続ユニットの筐体の内部にはＨＤＤ_34、インターフェース部Ｂ_33、インターフェース部Ｃ１_35、インターフェース部Ｃ２_36及びインターフェース部Ｃ３_39（いずれも図４には表示されていない）が納められており、それら構成要素は図１に示す通りに接続されている。その際、インターフェース部Ｃ３_39は、イーサネット（登録商標）のＮＩＣ（Network Interface Card）の機能を有している。
さらに、接続ユニット3は商用電源プラグ37Cも有し、商用電源プラグ37Cを商用交流電源のコンセント7に挿入することにより供給される交流電力を、内蔵するＡＣ／ＤＣ回路37B（図４には表示されていない）で変換することによって得られる直流電力によって接続ユニット3を駆動することができるとともに、携帯電話機1の内蔵充電池17（図４には表示されていない）を充電することができる。
【００６６】
なお、以下では、原則として、外部ディスプレイ装置5（ＬＣＤ）の画面解像度は、ＶＧＡサイズ（水平画素数×垂直画素数＝640×480画素）であるものとして説明するが、それ以上の解像度であってもよい。
【００６７】
さて、作動中の携帯電話機1と作動中の接続ユニット3を接続した場合、作動中の携帯電話機1を接続ユニット3に接続し、接続ユニット3を起動させた場合、あるいは携帯電話機1を作動中の接続ユニット3に接続し、携帯電話機1を起動させた場合に、携帯電話機1の中央演算回路10Aは、接続ユニット3から、接続ユニット3が接続していることを検知する信号（以下、接続検知信号と略記）、及び接続ユニット3のインターフェース部Ｃ１_35に接続された外部ディスプレイ装置5の画面解像度データを、外部接続端子部Ｂ_33D、接続ケーブル2、外部接続端子部Ａ_13D及びバス19を経由して受信する。
なお、以下では、説明を簡単にするために、「接続ユニット3が作動中」の場合には、必ず、作動している外部ディスプレイ装置5、外部入力装置（外部キーボード61及びマウス62）及びユーザー側回線終端装置（ケーブルモデム81）が接続しているものとし、「接続ユニット3が接続していることの検知」には、これらの周辺装置が接続していることの検知も含むものとする。
【００６８】
携帯電話機1の中央演算回路10Aが前記接続検知信号を受信している場合、中央演算回路10Aは、ＬＣＤパネル15Aの画面水平解像度又は画面解像度に対応した画像の描画命令に替えて、ＬＣＤパネル15Aの画面解像度より大きな解像度を有する画像の描画命令を生成し、グラフィックコントローラ10Bに対して送信する。また、中央演算回路10Aは、上記の描画命令とともに、ＶＲＡＭ_10Cから切り出したビットマップデータを、ＬＣＤドライバ15Bに送信する替わりに、ＴＭＤＳトランスミッタ13Aに送信するように命令する送信命令を生成し、該送信命令をグラフィックコントローラ10Bに送信する。
【００６９】
グラフィックコントローラ10Bは、中央演算回路10Aから受信した描画命令に基づき、あらかじめ設定された仮想画面上においてビットマップデータを生成し、ＶＲＡＭ_10Cに書き込む。さらに、グラフィックコントローラ10Bは、中央演算回路10Aから入手した外部ディスプレイ装置5の画面解像度データに基づき、外部ディスプレイ装置5の画面解像度と同じ解像度を有し、外部ディスプレイ装置5の画面に表示される画像を記述するビットマップデータをＶＲＡＭ_10Cから切り出す。その上で、中央演算回路10Aから受信した送信命令に基づき、該ビットマップデータをＴＭＤＳトランスミッタ13Aに送信し、ＴＭＤＳトランスミッタ13Aは、該ビットマップデータを、外部接続端子部Ａ_13Dを経由して接続ユニット3のインターフェース部Ｂ_33にＴＭＤＳ伝送方式で送信する。
【００７０】
なお、ここで、ＴＭＤＳトランスミッタ13Aに外部接続端子部Ａ_13Dを加えた全体が「特許請求の範囲」でいうところのインターフェース手段Ａにあたる。
また、この実施形態においては、携帯電話機1から接続ユニット3とへのビットマップデータの転送は、ＴＭＤＳ伝送方式で行われるが、それ以外に、デジタルＲＧＢ、ＬＶＤＳ（Low Voltage Differential Signaling）（又はＬＤＩ（ＬＶＤＳ Display Interface））及びＧＶＩＦ（Gigabit Video InterFace）などの伝送方式で転送することも可能である。
【００７１】
接続ユニット3においては、インターフェース部Ｂ_33で受信・転送されたビットマップデータを、ＴＭＤＳレシーバ機能を有するインターフェース部Ｃ１_35で受け入れて、必要な処理を行った上で外部ディスプレイ装置5に送信し、結果として、外部ディスプレイ装置5の画面において、その画面解像度に対応した解像度を有する画像が表示される。
【００７２】
なお、ここで説明した中央演算回路10A、グラフィックコントローラ10B、ＴＭＤＳトランスミッタ13A、インターフェース部Ｂ_33、インターフェース部Ｃ１_35等の機能は、すぐ後で説明するようなＷｅｂページを閲覧する場合でも、フラッシュメモリ14Aなどの記憶手段・媒体に保存した画像データやムービーを再生する場合でも、動画である画像データやムービーをストリーミング再生する場合でも、基本的には同じである。
【００７３】
一方、携帯電話機1の中央演算回路10Aが、前記接続検知信号を受信している場合、中央演算回路10Aは、キー入力コントローラ16Bに対して、携帯電話機1のキー操作部16Aからの入力信号は受け付けず、接続ユニット3のインターフェース部Ｃ２_36に接続された外部キーボード61又はマウス62からの入力信号だけを受け付けるようにする入力元指示信号を出力する。これにより、ユーザーは、文字入力の操作性が悪かった携帯電話機1のキー操作部16Aでの操作に替えて、フルキーボードである外部キーボード61又はマウス62を操作することによりデータを入力することができるようになる。
【００７４】
また、携帯電話機1の中央演算回路10Aは、外部キーボード61又はマウス62を操作することによって入力されたデータに基づき、上記のようにフラッシュメモリ14Aにアクセスするかわりに、バス19、外部接続端子部Ａ_13D、接続ケーブル2及び接続ユニット3のインターフェース部Ｂ_33を経由してＨＤＤ34にアクセスすることにより、ビットマップデータやデジタル音声データを必要に応じて圧縮したデータファイルとして書き込んだり、逆にデータファイルを読み出して必要な処理を行ったりすることにより、描画命令をグラフィックコントローラ10Bに出力したり、デジタル音声信号をベースバンドプロセッサ11経由でＣＯＤＥＣ_18Cに出力したりする。また、中央演算回路10Aは、フラッシュメモリ14Aに格納されたデータファイルを読み出して、バス19、外部接続端子部Ａ_13D、及び接続ユニット3のインターフェース部Ｂ_33を経由して、ＨＤＤ34に保存することができる。
この際、ＨＤＤ34の容量は、フラッシュメモリ14Aよりもはるかに大きくできるため、例えば、長時間のムービーの保存や数多くの音楽ファイルの保存を制約なく行うことができる。
【００７５】
なお、グラフィックコントローラ10Bで生成されたビットマップデータの送信先の指定（切り替え）や、Ｗｅｂサーバとの間のデータのやり取りに用いられる通信手段の指定（切り替え）や、中央演算回路10Aに対するデータの入力元の指定（切り替え）は、上記のように、受信した接続検知信号に基づいて自動的に行われるだけでなく、例えば、携帯電話機1のキー操作部16Aのマニュアル操作によって行うような構成とすることも可能である。
また、外部ディスプレイ装置5に出力されるビットマップデータが記述する画像の解像度の指定は、上記のように、受信した外部ディスプレイ装置5の画面解像度データに基づいて自動的に行われるだけでなく、例えば、ＬＣＤパネル15A又は外部ディスプレイ装置5の画面に解像度の選択肢を示す画像を表示し、外部キーボード61又はマウス62によって外部ディスプレイ装置5の画面解像度に適合した解像度を選択する仕方で行うような構成とすることもできる。あるいは、そのような選択手段は設けず、外部ディスプレイ装置5に出力されるビットマップデータが記述する画像の解像度を、例えばＶＧＡサイズに固定することも可能である。
【００７６】
また、この実施形態においては、携帯電話機1を接続ユニット3に接続した場合でも、フラッシュメモリ14Aなどの記憶手段・媒体に保存した音声データやムービーを再生したり、音声データやムービーをストリーミング再生したりする際の音声は、携帯電話機1側のスピーカ18Bから出力されるが、携帯電話機1と接続ユニット3の双方に必要なインターフェース手段を追加し、接続ユニット3に音声デコーダを追加した上で、接続ユニット3に高性能外部スピーカを接続することにより、該外部出力から高品質の音声を出力させるようにすることもできる。
【００７７】
図５は、本発明の第１の実施形態に係る携帯情報通信装置と携帯情報通信装置用接続ユニットとを接続した上で、該接続ユニットに外部ディスプレイ装置及び外部入力装置を接続することによって構成した情報通信システムと、インターネットに接続したＷｅｂサーバとの間での情報のやり取りを説明するための説明図である。
【００７８】
ユーザーが、このようにして構成した情報通信システムを用いてＷｅｂサーバ１_951又はＷｅｂサーバ２_952にアクセスし、Ｗｅｂページを閲覧する場合にも、携帯電話機1からは、ヘッダ部にユーザーエージェント文字列を含むＨＴＴＰリクエストが送信される。ただし、携帯電話機1の中央演算回路10Aが前記接続検知信号を受信している場合には、該ＨＴＴＰリクエストは、バス19、ベースバンドプロセッサ11、ＲＦ送受信部１_111Bを経由して無線信号として送信される代わりに、以下のような経路で送信される。
すなわち、ＨＴＴＰリクエストに対応したデジタル電気信号は、バス19、外部接続端子部Ａ_13Dを経由して接続ユニット3のインターフェース部Ｂ_33で受信され、さらにインターフェース部Ｃ３_59とイーサーネットケーブルを経由してケーブルモデム81に送信される。そして、ケーブルモデム81において必要な変換を受けた後、ＣＡＴＶ回線922及び中継装置２_932を経由してＩＳＰシステム１_941に送信され、最終的にはＷｅｂサーバ１_951又はＷｅｂサーバ２_952に送信される。
【００７９】
さらに、この場合には、ＨＴＴＰリクエストのユーザーエージェント文字列には、「マークアップ文書ファイルの送信要求をモバイル通信手段によって送信していること」を識別できる文字列の代わりに、「マークアップ文書ファイルの送信要求を、固定アクセスネットワークとの間で有線信号又は無線信号のやり取りを行う無線通信手段（以下、固定通信手段と略称する）によって送信していること」を識別できる文字列を含む。
【００８０】
一方、Ｗｅｂサーバ１_951又はＷｅｂサーバ２_952においても、携帯電話機1から送信されるＨＴＴＰリクエストに含まれるユーザーエージェント文字列に基づいて、より適合性の高いファイルを選択した上で送信することは同じであるが、この場合には、複数のマークアップ文書ファイルのうち、改行幅がより広い固定幅レイアウトのマークアップ文書ファイル（より具体的には、外部ディスプレイ装置5（ＬＣＤ）の画面水平解像度（640画素）と同じか、それより広い固定幅レイアウト）のマークアップ文書ファイルを送信する。また、該マークアップ文書ファイルが画像データファイルにリンクしている場合には、複数の画像データファイルのうち、本来解像度がより高い画像データファイルを送信する。
【００８１】
なお、携帯電話機1から送信されるユーザーエージェント文字列には、上記のように携帯電話機1の機種情報や、通信手段情報に加えて、携帯電話機1の個体識別子や、携帯電話機1のユーザーが契約しているモバイルアクセスネットワークにおける契約者回線番号などの端末識別情報に対応した文字列を含めることができる。そして、このユーザーエージェント文字列を含むＨＴＴＰリクエストを、モバイルアクセスネットワーク経由（モバイル基地局91→モバイル回線921→中継装置１_931→ＩＳＰシステム１_941）及び固定アクセスネットワーク経由（接続ユニット3→ケーブルモデム81→ＣＡＴＶ回線922→中継装置２_932→ＩＳＰシステム１_941）のいずれの経路によってでも送信するようにすることによって、ＩＳＰシステム１_941では、該端末識別情報に基づく単一のアクセス制御を採用することができる。
【００８２】
また、Ｗｅｂサーバ１_951又はＷｅｂサーバ２_952において、［００５５］や［００８０］で説明した通りの送信ファイルの切替を行うことは、携帯電話機1から、マークアップ文書ファイルの送信要求を送信する通信手段を表現する文字列を含むユーザーエージェント文字列を送信しない場合でも実現可能である。
すなわち、ＩＳＰシステム94は、携帯電話機1から送信されるＨＴＴＰリクエストが、モバイル回線921経由又はＣＡＴＶ回線922経由のいずれの経路で送信されたかを判別した上で、その判別情報をＷｅｂサーバ１_951又はＷｅｂサーバ２_952に送信する。そして、Ｗｅｂサーバ１_951又はＷｅｂサーバ２_952は受信した判別情報に基づいて、より適合性の高いファイルを選択した上で送信すればよい。
【００８３】
さて、Ｗｅｂサーバ１_951又はＷｅｂサーバ２_952から送信された前記データファイルは、デジタル電気信号として、直接に又はインターネット96を経由して、ＩＳＰシステム１_94に送信される。そして、ＩＳＰシステム１_94は、今度は、前記ユーザーエージェント文字列の識別結果に基づき、デジタル電気信号を中継装置２_932、ＣＡＴＶ回線922、ケーブルモデム81及び接続ユニット3を経由して、最終的には中央演算回路10Aでデジタル信号として受信されることにより、Ｗｅｂページを構成するマークアップ文書ファイル及びそのリンクファイルを取得することができる。そして、中央演算回路10Aは、フラッシュメモリ14Aに格納されたブラウザプログラムに従い、マークアップ文書ファイルの固定幅と同じ水平画素数を有するページ画像の描画命令を生成し、グラフィックコントローラ10Bに送信する。
そして、グラフィックコントローラ10B、ＴＭＤＳトランスミッタ13A、インターフェース部Ｂ_33、インターフェース部Ｃ１_35等は［００６９］及び［００７１］で説明した通りに動作し、最終的に外部ディスプレイ装置5の画面において、前記マークアップ文書ファイル及びそのリンクファイルに対応したページ画像が表示されることになる。その際、特に、前記マークアップ文書ファイルの固定幅が外部ディスプレイ装置5の画面解像度より大きい場合には、キー操作部16Aにおいて画面スクロール機能を担うキーを操作することによって入力されるデータに応じて、中央演算回路10A1が描画命令を変更することにより、ＶＲＡＭ_10Cから切り出されるビットマップデータは仮想画面上を徐々に遷移し、その結果として、外部ディスプレイ装置5の画面においてページ画像がスクロール表示される。
【００８４】
図６は、本発明の第１の実施形態に係る携帯情報通信装置と携帯情報通信装置用接続ユニットとを接続した上で、該接続ユニットに外部ディスプレイ装置及び外部入力装置を接続することによって構成した情報通信システムが、最適経路を算出する機能を有するＷｅｂサーバにアクセスした場合に、外部ディスプレイ装置に表示される入力画面のページ画像を説明するためのイメージ図である。
【００８５】
このページは図３と同じく目的地入力用のページであるが、空欄に文字や数字のキャラクタを入力した上で「検索」や「リスト表示」のボタンをクリックして次頁に遷移するという図３と同様の機能に加え、日本地図の画像データを各都道府県の箇所をクリックすることにより当該都道府県の地図画像ページに遷移するという比較的複雑な機能も有している。このため、このページはフルスペックのＨＴＭＬで記述されており、対応するマークアップ文書ファイルは日本地図の画像データファイルとリンクしている。またレイアウト形式は水平解像度が640画素の固定幅となっている。
このようなページを携帯電話機1単独で閲覧しようとすると、ＬＣＤパネル15Aでは水平スクロールを何度も繰り返さなければならず、また、キー操作部16Aでは十分な入力操作を行うことができないが、上記のように構成した情報通信システムによれば、外部ディスプレイ装置5の画面では水平スクロールすることなく閲覧でき、また、外部入力装置（外部キーボード61及びマウス62）によって容易に入力操作することができる。
このような理由から、このページに対応するマークアップ文書ファイル及びそのリンクファイルのファイルサイズは大きくなるが、これらのデータファイルは固定アクセスネットワーク経由で送信されるため、モバイルアクセスネットワークの通信の安定性に悪影響を与えることはない。
【００８６】
（第２の実施形態）
図７は、本発明の第２の実施形態に係る携帯情報通信装置、携帯情報通信装置用外部入出力ユニット、及び両者を接続することによって構成した情報通信システムの構成及び機能を説明するためのブロック図であり、特に、該携帯情報通信装置が携帯電話機である場合について説明している。
【００８７】
この実施形態における携帯電話機1の構成は、電波信号の受信経路が、モバイルアクセスネットワークとの間での電波信号のやり取りに使われる「共用アンテナ112A→ＲＦ送受信部１_111B→ベースバンドプロセッサ」の経路と、固定アクセスネットワークとの間での電波信号のやり取りに使われる「共用アンテナ112A→ＲＦ送受信部２_112B→ベースバンドプロセッサ」の経路とに二重化されたことを除き、第１の実施形態における携帯電話機１の構成と同じである。また、その機能も、それが単独で使用され、電波信号のやり取りをモバイルアクセスネットワークとの間で行う限りにおいては、移動通信用アンテナ111Aが共用アンテナ112Aに代わることを除き、第１の実施形態における携帯電話機1の機能と同じである。
また、携帯電話機1は、接続ケーブル2を介して接続ユニットの替わりに外部入出力ユニット4に接続されるが、その場合も、中央演算回路10Aが外部ディスプレイ装置の画面解像度データを受信する替わりに外部入出力ユニット4の外部ＬＣＤパネル45Aの画面解像度データを受信すること等を除けば、基本的な機能は同じである。
さらに、外部入出力ユニット4についても、外部ディスプレイ装置及び外部キーボードを外部接続する替わりに、外部ＬＣＤパネル45Aと外部キー操作部461をその一部として含んでいること、ポインティングデバイスとしてマウスを外部接続する替わり外部タッチパッド462を備えていること等を除き、機能としては、第１の実施形態における接続ユニット3と外部ディスプレイ装置及び外部入力装置とを組み合わせたシステムとほとんど変わらない。
【００８８】
図８は、本発明の第２の実施形態に係る携帯情報通信装置と携帯情報通信装置用外部入出力ユニットとを接続することによって構成した情報通信システムの構成を説明する外観図であり、特に、該携帯情報通信装置が携帯電話機である場合について説明している。
【００８９】
この実施形態においては、外部入出力ユニット4は以下のような構成となっている。すなわち、上面に外部キー操作部461及び外部タッチパッド462を配備した筐体の内部に、図８には図示されていないインターフェース部Ｄ_43を構成する回路、ＴＭＤＳレシーバ45D、スキャンコンバータ45C等の回路、及びＨＤＤ44が収められている。また、該筐体と外部ＬＣＤパネル45Aがヒンジで接続されており、外部ＬＣＤパネル45Aの額縁部には、図８には図示されていない外部ＬＣＤドラバ45Bが収められている。
また、該筐体の背側面（図４には図示されていない）には、接続ケーブル2を接続するための外部接続端子部Ｄ_43Dと、ＡＣ/ＤＣ回路47Bを接続する電力ケーブルを接続するための端子部が設けられている。
【００９０】
携帯電話機1と外部入出力ユニットを接続することによって構成した情報通信システムをデータ通信・処理用に使用する場合、携帯電話機1の中央演算回路10Aは、外部入出力ユニット4の接続検知信号及び外部入出力ユニット4における外部ＬＣＤパネル45Aの画面解像度データを受信した場合、グラフィックコントローラ10Bに、データ通信・処理用に使用される場合、適切な解像度を有する画像を記述するビットマップデータを生成し、ＴＭＤＳトランスミッタ13Aに送信するように命令する。該描画命令及び送信命令に従って送信されたビットマップデータは、携帯電話機1における外部接続端子部Ａ_13Dを経由して、外部入出力ユニット4のインターフェース部Ｄ_43を構成する外部接続端子部Ｄ_43Dで受信される。該ビットマップデータは、ＴＭＤＳレシーバ45D及びスキャンコンバータ45Cで必要な処理を施された上で、外部ＬＣＤドライバ45Bに送信され、外部ＬＣＤドライバ45Bが、外部ＬＣＤパネル45Aの画面を構成する各々の画素を駆動することにより、外部ＬＣＤパネル45Aに画面イメージが表示される。
【００９１】
一方、中央演算回路10Aは、外部入出力ユニット4の接続検知信号を受信した場合、共用アンテナ112A→ＲＦ送受信部２_112B→ベースバンドプロセッサの経路を確立した上で、該経路で受信する信号を解析することにより無線ＬＡＮアクセスポイント装置を探索し、少なくとも一つの無線ＬＡＮアクセスポイント装置にアクセス可能であることを検知した場合、中央演算回路10Aから送信したデジタル信号を電波信号として送信する経路を「ベースバンドプロセッサ→ＲＦ送受信部１_111B→共用アンテナ112A」の経路から、「ベースバンドプロセッサ→ＲＦ送受信部２_112B→共用アンテナ112A」の経路に切り替える。
【００９２】
なお、この実施形態の外部入出力ユニット4においても、第１の実施形態の接続ユニット3におけるのと同様に商用電源プラグ47Cも有し、商用電源プラグ47Cから供給される交流電力を、付属するＡＣ／ＤＣ回路47Bによって変換することによって得られ、一旦充電池Ｄ_47Aに蓄えられた直流電力によって外部入出力ユニット4を駆動することができるとともに、携帯電話機1の内蔵充電池17を充電することができる。
また、この実施形態の携帯電話機1を外部入出力ユニット4に接続した場合でも、録画したムービーを再生したりする際の音声は、携帯電話機1側のスピーカ18Bから出力されるが、携帯電話機1と外部入出力ユニット4の双方に必要なインターフェース手段を追加し、外部入出力ユニット4に音声デコーダと高性能外部スピーカを追加することにより、該外部出力から高品質の音声を出力させるようにすることもできる。
【００９３】
図９は、本発明の第２の実施形態に係る携帯情報通信装置と携帯情報通信装置用外部入出力ユニットとを接続することによって構成した情報通信システムと、インターネットに接続したＷｅｂサーバとの間での情報のやり取りを説明するための説明図である。
【００９４】
ユーザーが、このようにして構成した情報通信システムを用いてＷｅｂサーバ１_951又はＷｅｂサーバ２_952にアクセスし、Ｗｅｂページを閲覧する場合にも、携帯電話機1からは、ヘッダ部にユーザーエージェント文字列を含むＨＴＴＰリクエストが送信される。ただし、携帯電話機1の中央演算回路10Aが前記接続検知信号を受信している場合には、信号送信経路が［００９１］で説明したように切り替わる結果、該ＨＴＴＰリクエストは、バス19、ベースバンドプロセッサ11、ＲＦ送受信部１_111B、共用アンテナ112Aを経由して無線信号として送信される代わりに、以下のような経路で送信される。
すなわち、ＨＴＴＰリクエストに対応したデジタル電気信号は、バス19、ベースバンドプロセッサ11、ＲＦ送受信部２_112B、共用アンテナ112Aを経由して、電波信号として無線ＬＡＮアクセスポイント装置82に送信される。そして、無線ＬＡＮアクセスポイント装置82においてデジタル電気信号に変換され、さらにメディアコンバータ83でデジタル光信号に変換された後、ＦＴＴＨ（Fiber To The Home）回線923及び中継装置３_933を経由してＩＳＰシステム１_941に送信され、最終的にはＷｅｂサーバ１_951又はＷｅｂサーバ２_952に送信される。
【００９５】
さらに、この場合には、ＨＴＴＰリクエストのユーザーエージェント文字列には、「マークアップ文書ファイルの送信要求を、固定通信手段によって送信していること」を識別できる文字列を含む。
一方、Ｗｅｂサーバ１_951又はＷｅｂサーバ２_952においても、複数のマークアップ文書ファイルのうち、改行幅がより広い固定幅レイアウトのマークアップ文書ファイル（より具体的には、外部ディスプレイ装置5（ＬＣＤ）の画面水平解像度（640画素）と同じか、それより広い固定幅レイアウト）のマークアップ文書ファイルを送信する。また、該マークアップ文書ファイルが画像データファイルにリンクしている場合には、複数の画像データファイルのうち、本来解像度がより高い画像データファイルを送信する。
さらに、それらのデータファイルは、デジタル電気信号として、直接に又はインターネット96を経由して、ＩＳＰシステム１_94に送信される。そして、ＩＳＰシステム１_94は、今度は、前記ユーザーエージェント文字列の識別結果に基づき、デジタル電気信号を中継装置３_933、ＦＴＴＨ回線923、メディアコンバータ83、無線ＬＡＮアクセスポイント装置82を経由して、最終的には中央演算回路10Aでデジタル信号として受信されることにより、Ｗｅｂページを構成するマークアップ文書ファイル及びそのリンクファイルを取得することができる。
そして、中央演算回路10A以降は［００８３］で説明したのとほぼ同様に動作し、最終的には、外部ＬＣＤパネル45Aにおいて前記マークアップ文書ファイル及びそのリンクファイルに対応したページ画像が表示されることになる。
【図面の簡単な説明】
【００９６】
【図１】本発明の第１の実施形態に係る携帯情報通信装置、携帯情報通信装置用接続ユニット、及び両者を接続した上で該接続ユニットに外部ディスプレイ装置及び外部入力装置を接続することによって構成した情報通信システムの構成及び機能を説明するためのブロック図である。
【図２】本発明の第１の実施形態に係る携帯情報通信装置と、インターネットに接続されたＷｅｂサーバとの間での情報のやり取りを説明するための説明図である
【図３】本発明の第１の実施形態に係る携帯情報通信装置が、最適経路を算出する機能を有するＷｅｂサーバにアクセスした場合に、付属ディスプレイパネル表示される入力画面のページ画像を説明するためのイメージ図である。
【図４】本発明の第１の実施形態に係る携帯情報通信装置と携帯情報通信装置用接続ユニットとを接続した上で、該接続ユニットに外部ディスプレイ装置及び外部入力装置を接続することによって構成した情報通信システムの構成を説明するための外観図である。
【図５】本発明の第１の実施形態に係る携帯情報通信装置と携帯情報通信装置用接続ユニットとを接続した上で、該接続ユニットに外部ディスプレイ装置及び外部入力装置を接続することによって構成した情報通信システムと、インターネットに接続したＷｅｂサーバとの間での情報のやり取りを説明するための説明図である。
【図６】本発明の第１の実施形態に係る携帯情報通信装置と携帯情報通信装置用接続ユニットとを接続した上で、該接続ユニットに外部ディスプレイ装置及び外部入力装置を接続することによって構成した情報通信システムが、最適経路を算出する機能を有するＷｅｂサーバにアクセスした場合に、外部ディスプレイ装置に表示される入力画面のページ画像を説明するためのイメージ図である
【図７】本発明の第２の実施形態に係る携帯情報通信装置、携帯情報通信装置用外部入出力ユニット、及び両者を接続することによって構成した情報通信システムの構成及び機能を説明するためのブロック図である。
【図８】本発明の第２の実施形態に係る携帯情報通信装置と携帯情報通信装置用外部入出力ユニットとを接続することによって構成した情報通信システムの構成を説明する外観図である。
【図９】本発明の第２の実施形態に係る携帯情報通信装置と携帯情報通信装置用外部入出力ユニットとを接続することによって構成した情報通信システムと、インターネットに接続したＷｅｂサーバとの間での情報のやり取りを説明するための説明図である。
【符号の説明】
【００９７】
1‥‥‥携帯電話機
10A‥‥‥中央演算回路
10B‥‥‥グラフィックコントローラ
10C‥‥‥ＶＲＡＭ
11‥‥‥ベースバンドプロセッサ
111A‥‥‥移動通信用アンテナ
111B‥‥‥ＲＦ送受信部１
112B‥‥‥ＲＦ送受信部２
13A‥‥‥ＴＭＤＳトランスミッタ
13D‥‥‥外部接続端子部Ａ
14A‥‥‥フラッシュメモリ
14B‥‥‥ＲＡＭ
15A‥‥‥ＬＣＤパネル
15B‥‥‥ＬＣＤドライバ
16A‥‥‥キー操作部
16B‥‥‥キー入力コントローラ
17‥‥‥内蔵充電池
18A‥‥‥マイクロホン
18B‥‥‥スピーカ
18C‥‥‥ＣＯＤＥＣ
19‥‥‥バス
2‥‥‥接続ケーブル
3‥‥‥接続ユニット
33‥‥‥インターフェース部Ｂ
33D‥‥‥外部接続端子部Ｂ
33D1‥‥‥挿入口
34‥‥‥ＨＤＤ
35‥‥‥インターフェース部Ｃ１
36‥‥‥インターフェース部Ｃ２
36D‥‥‥外部入力接続端子
37A‥‥‥充電池Ｂ
37B‥‥‥ＡＣ／ＤＣ回路
37C‥‥‥商用電源プラグ
39‥‥‥インターフェース部Ｃ３
4‥‥‥外部入出力ユニット
43‥‥‥インターフェース部Ｄ
43D‥‥‥外部接続端子部Ｄ
44‥‥‥ＨＤＤ
45A‥‥‥外部ＬＣＤパネル
45B‥‥‥外部ＬＣＤドライバ
45C‥‥‥スキャンコンバータ
45D‥‥‥ＴＭＤＳレシーバ
461‥‥‥外部キー操作部
462‥‥‥外部タッチパッド
47A‥‥‥充電池Ｄ
47B‥‥‥ＡＣ／ＤＣ回路
47C‥‥‥商用電源プラグ
5‥‥‥外部ディスプレイ装置
61‥‥‥外部キーボード
62‥‥‥マウス
7‥‥‥コンセント
81‥‥‥ケーブルモデム
82‥‥‥無線ＬＡＮアクセスポイント装置
83‥‥‥メディアコンバータ
91‥‥‥モバイル基地局
921‥‥‥モバイル回線
922‥‥‥ＣＡＴＶ回線
923‥‥‥ＦＴＴＨ回線
931‥‥‥中継装置１
932‥‥‥中継装置２
933‥‥‥中継装置３
941‥‥‥ＩＳＰシステム１
942‥‥‥ＩＳＰシステム２
951‥‥‥Ｗｅｂサーバ１
952‥‥‥Ｗｅｂサーバ２
96‥‥‥インターネット
【図１】
2007195160.tif 000003
【図３】
2007195160.tif 000004
【図６】
2007195160.tif 000005
【図７】
2007195160.tif 000006
【図２】
2007195160.tif 000007
【図４】
2007195160.tif 000008
【図５】
2007195160.tif 000009
【図８】
2007195160.tif 000010
【図９】
2007195160.tif 000011